(57)【要約】【課題】プロジェクタの調整を安価に行える様にする。【解決手段】デジタルカメラ２が脱着自在に装着されるプロジェクタ１の本体部と、プロジェクタ１の本体に取り付けられ表示用データを照射する投射レンズ３と、デジタルカメラ２が装着されたとき投射レンズ３からオートホワイトバランス調整用チャートを投影すると共に投影されたオートホワイトバランス調整用チャートの画像を撮像し取り込んだデジタルカメラ２からの各色信号に基づき投射レンズ３から投影する表示用データのホワイトバランス調整を行う制御部とを備える。この構成により、デジタルカメラを利用してホワイトバランス調整が可能となり、プロジェクタを安価に構成可能となる。【選択図】  図１
2004347871.tif 000002
【特許請求の範囲】
【請求項１】
オートフォーカス機能を搭載したデジタルカメラが脱着自在に装着されるプロジェクタ本体部と、該プロジェクタ本体に取り付けられ表示用データをフォーカス位置に投影する投射レンズと、前記デジタルカメラが装着されたとき前記投射レンズからフォーカス調整用チャートを投影すると共に投影された前記フォーカス調整用チャートの画像を前記オートフォーカス機能を働かせて撮像し取り込んだ前記デジタルカメラからの制御信号に基づき前記投射レンズのフォーカス位置を調整する制御部とを備えることを特徴とするプロジェクタ。
【請求項２】
デジタルカメラが脱着自在に装着されるプロジェクタ本体部と、該プロジェクタ本体に取り付けられ表示用データを照射する投射レンズと、前記デジタルカメラが装着されたとき前記投射レンズからオートホワイトバランス調整用チャートを投影すると共に投影された前記オートホワイトバランス調整用チャートの画像を撮像し取り込んだ前記デジタルカメラからの制御信号に基づき前記投射レンズから投影する表示用データのホワイトバランス調整を行う制御部とを備えることを特徴とするプロジェクタ。
【請求項３】
デジタルカメラが脱着自在に装着されるプロジェクタ本体部と、該プロジェクタ本体に取り付けられ表示用データを投影する投射レンズと、前記デジタルカメラが装着されたとき前記投射レンズから所定チャートを投影すると共に投影された該所定チャートの画像を撮像して取り込んだ前記デジタルカメラからのフィードバック信号に基づき前記プロジェクタ本体側の調整を行う制御部とを備えることを特徴とするプロジェクタ。
【請求項４】
前記デジタルカメラと前記プロジェクタ本体とがコネクタまたはケーブルによって接続されることを特徴とする請求項１乃至請求項３のいずれかに記載のプロジェクタ。
【請求項５】
前記コネクタまたはケーブルには、前記プロジェクタ本体に設けられた電源から前記デジタルカメラの電源に電力を供給する電源線が含まれることを特徴とする請求項１乃至請求項４のいずれかに記載のプロジェクタ。
【請求項６】
請求項１乃至請求項５のいずれかに記載の前記プロジェクタ本体に着脱自在に装着され該装着時に前記プロジェクタ本体の前記投射レンズを通して投影された表示用データを撮像し取得した画像データから前記プロジェクタ本体側にプロジェクタ本体調整用のフィードバック信号を生成し出力する制御部を搭載したことを特徴とするデジタルカメラ。
【発明の詳細な説明】
【０００１】
【発明の属する技術分野】
本発明はプロジェクタおよびデジタルカメラに係り、特に、フォーカス位置の調整や色ゲインの調整を低コストで行うことができるプロジェクタとこのプロジェクタにこれらの調整用フィードバック信号を出力するデジタルカメラに関する。
【０００２】
【従来の技術】
デジタルスチルカメラやデジタルビデオカメラ等のデジタルカメラが普及する一方、プロジェクタの普及も進み、デジタルカメラで撮影した画像を、プロジェクタからスクリーンに投射して、大画面で撮影画像を見る機会が増えて来ている。また、ＤＶＤに記録された映画等をプロジェクタから大型スクリーン上に投射し、映画鑑賞を行う人も増えてきている。
【０００３】
プロジェクタを使用し画像等をスクリーンに投射して高画質な画像を鑑賞する場合、プロジェクタのピントを精度良く合わせる必要があり、また、プロジェクタのホワイトバランスの調整を行う必要もある。
【０００４】
このため、下記特許文献１に記載された液晶プロジェクタは、測距機構を搭載し、プロジェクタ本体とスクリーンとの間の距離を計測し、この距離情報に基づいてオートフォーカス制御を行っている。
【０００５】
また、下記特許文献２に記載された３管式のプロジェクタでは、色ゲインの調整を行うときに、プロジェクタの前方にビデオカメラを配置し、プロジェクタからの投影画像をビデオカメラで直接撮影し、ビデオカメラの撮影画像によりプロジェクタからの投射画像の特性を調整するようにしている。
【０００６】
【特許文献１】
特開平６―２７４３１号公報
【特許文献２】
特開平１１―１２２６４０号公報
【０００７】
【発明が解決しようとする課題】
上記特許文献１に記載されているプロジェクタの様に、プロジェクタ本体に測距機構を搭載してフォーカス制御を行う構成は、プロジェクタの製造コストが測距機構分、嵩んでしまうという問題がある。
【０００８】
また、上記特許文献２に記載されているプロジェクタの様に、スクリーンを用いずにビデオカメラを用いて色ゲインを調整を行う構成では、手軽に色ゲインの調整ができず、装置構成が大がかりになってしまうという問題がある。
【０００９】
本発明の目的は、手軽にフォーカス調整や色ゲイン調整が可能なプロジェクタを安価に提供すると共に、これらの調整用フィードバック信号をプロジェクタに出力する制御部を搭載したデジタルカメラを提供することにある。
【００１０】
【課題を解決するための手段】
本発明のプロジェクタは、オートフォーカス機能を搭載したデジタルカメラが脱着自在に装着されるプロジェクタ本体部と、該プロジェクタ本体に取り付けられ表示用データをフォーカス位置に投影する投射レンズと、前記デジタルカメラが装着されたとき前記投射レンズからフォーカス調整用チャートを投影すると共に投影された前記フォーカス調整用チャートの画像を前記オートフォーカス機能を働かせて撮像し取り込んだ前記デジタルカメラからの制御信号に基づき前記投射レンズのフォーカス位置を調整する制御部とを備えることを特徴とする。
【００１１】
この構成により、デジタルカメラをプロジェクタ本体側のフォーカス調整用として使用することができ、プロジェクタ本体側に測距センサ等を搭載する必要がなくなる。
【００１２】
本発明のプロジェクタは、デジタルカメラが脱着自在に装着されるプロジェクタ本体部と、該プロジェクタ本体に取り付けられ表示用データを照射する投射レンズと、前記デジタルカメラが装着されたとき前記投射レンズからオートホワイトバランス調整用チャートを投影すると共に投影された前記オートホワイトバランス調整用チャートの画像を撮像し取り込んだ前記デジタルカメラからの制御信号に基づき前記投射レンズから投影する表示用データのホワイトバランス調整を行う制御部とを備えることを特徴とする。
【００１３】
この構成により、デジタルカメラを利用してプロジェクタ本体側のオートホワイトバランス調整を行うことができ、プロジェクタにオートホワイトバランス調整用の機器を搭載する必要がなくなる。
【００１４】
本発明のプロジェクタは、デジタルカメラが脱着自在に装着されるプロジェクタ本体部と、該プロジェクタ本体に取り付けられ表示用データを投影する投射レンズと、前記デジタルカメラが装着されたとき前記投射レンズから所定チャートを投影すると共に投影された該所定チャートの画像を撮像して取り込んだ前記デジタルカメラからのフィードバック信号に基づき前記プロジェクタ本体側の調整を行う制御部とを備えることを特徴とする。
【００１５】
この構成により、デジタルカメラを利用してプロジェクタ本体の調整が可能となり、プロジェクタを安価に製造可能となる。
【００１６】
本発明のプロジェクタは、前記デジタルカメラとコネクタまたはケーブルによって接続されることを特徴とする。この構成により、安価な構成で両者の連結が可能となる。
【００１７】
本発明のプロジェクタは、前記プロジェクタ本体に設けられた電源から前記デジタルカメラの電源に電力を供給する電源線が含まれるコネクタまたはケーブルによって接続されることを特徴とする。この構成により、プロジェクタをデジタルカメラの電源ステーションとして利用可能となる。
【００１８】
本発明のデジタルカメラは、上記のいずれかに記載の前記プロジェクタ本体に着脱自在に装着され該装着時に前記プロジェクタ本体の前記投射レンズを通して投影された表示用データを撮像し取得した画像データから前記プロジェクタ本体側にプロジェクタ本体調整用のフィードバック信号を生成し出力する制御部を搭載したことを特徴とする。
【００１９】
この構成により、プロジェクタに装着したときはプロジェクタの調整用として使用でき、プロジェクタから取り外したときは普通のデジタルカメラとして使用することができるデジタルカメラを提供できる。
【００２０】
【発明の実施の形態】
以下、本発明の一実施形態について、図面を参照して説明する。
【００２１】
図１は、本発明の一実施形態に係るプロジェクタの概略側面図である。図示する例のプロジェクタ１は、その頭部にデジタルカメラ２が着脱自在に装着され、デジタルカメラ２の装着時にはデジタルカメラ２内蔵の制御部とプロジェクタ１内蔵の制御部とが通信により情報の授受を行ってプロジェクタ１本体側のオートフォーカス調整と色ゲイン調整とを自動的に行い、高画質な画像等が投射レンズ３を通してスクリーン４に投影される構成となっている。
【００２２】
尚、デジタルカメラ２のプロジェクタ１に対する装着位置は、デジタルカメラ２のレンズ位置と、投射レンズ３の位置とが、スクリーン４から等距離となる様に設計される。
【００２３】
図２は、プロジェクタ１とデジタルカメラ２との接続部分の構成図である。プロジェクタ１の頭部にはデジタルカメラ装着用のコネクタ５が搭載されており、デジタルカメラ２の底部にはコネクタ５に嵌合するプロジェクタ接合用のコネクタ６が搭載されており、コネクタ５とコネクタ６とを介してデジタルカメラ２がプロジェクタ１に結合されたとき、デジタルカメラ２とプロジェクタ１とは、電気的及び機械的に連結される。コネクタ５，６は、例えばＵＳＢ（Ｕｎｉｖｅｒｓａｌ  Ｓｅｒｉａｌ  Ｂｕｓ  ）のコネクタである。
【００２４】
図３は、プロジェクタ１及びデジタルカメラ２の内部回路図である。デジタルカメラ２は、図示しないレンズ等の光学系の背面に搭載したＣＣＤやＣＭＯＳイメージセンサ等の固体撮像素子２１と、この固体撮像素子２１を駆動制御すると共に固体撮像素子２１から出力されるアナログの画像信号をデジタル信号に変換する撮像素子制御部２２と、デジタルカメラ２全体を統括制御する共にフォーカス調整及び色ゲイン調整を含む画像信号処理を行う制御部（ＣＰＵ）２３と、撮影した画像データを記録する外部記憶媒体２４と、ユーザからの指示を入力する操作部２５と、固体撮像素子２１から取り込んだ画像データを一時格納する画像メモリ２６及び制御プログラム等を格納したフラッシュメモリ２７等を備え、バッテリ電源２８によって駆動される構成となっている。
【００２５】
このデジタルカメラ２の構成は、一般的なデジタルカメラと同じ構成であり、通常のオートフォーカス機能とオートホワイトバランス機能とを搭載している。そして、本実施形態に係るデジタルカメラ２は、記録媒体２４に記録された画像データをビデオ信号として読み出す信号線と、制御部２３が演算して求めた後述の制御信号（フィードバック信号）を出力する信号線とがコネクタ６に接続され、更に、コネクタ６がコネクタ５に接続されたときにバッテリ電源２８の代わりにプロジェクタ１の電源がプロジェクタ１側の制御部によってデジタルカメラ２に供給制御される構成となっている点のみ異なる。
【００２６】
従って、本実施形態に係るデジタルカメラ２は、プロジェクタ１から分離した状態では、一般のデジタルスチルカメラ（またはデジタルビデオカメラ）として使用することができる。
【００２７】
プロジェクタ１は、商用の交流電源に接続されて交流電圧を直流電圧に変換し出力するＤＣ電源１１と、プロジェクタ１全体を統括制御すると共にコネクタ５，６が連結されたときデジタルカメラ２との間で情報の授受を行う制御部１２と、投射レンズ３（図１）を構成するフォーカスレンズを制御部１２からの指示信号に基づいて位置制御するレンズＡＦ駆動部１３と、ユーザからの指示を入力する操作部１４と、制御部１２からの制御信号に基づいて駆動する表示駆動部１５と、制御部１２の指示信号に基づいて外部からビデオ信号を取り込み表示駆動部１５に出力するビデオ入出力部１６と、表示駆動部１５によって駆動制御されビデオ入出力部１６からのビデオ信号に応じた画像を表示する表示部１７とを備える。
【００２８】
表示部１７に表示された画像等の表示データが、表示部１７に設けられた図示しない投影ランプの投影光により投射レンズ３（図１）を通してスクリーン４に投影される。
【００２９】
本実施形態に係るプロジェクタ１は、一般的なプロジェクタと同じ構成を有し、更に、デジタルカメラ２がコネクタ５，６を介して連結されたとき、デジタルカメラ２が持っているオートフォーカス機能及びオートホワイトバランス機能によって得られた後述の制御信号（フィードバック信号）を制御部１２が取り込み、プロジェクタ１本体に設けられている投射レンズ３のフォーカスレンズ位置の制御や、色ゲイン調整を行う機能を持っている点が異なる。
【００３０】
尚、図３では、ビデオ信号をデジタルカメラ２から取り込む例を図示したが、勿論、外部のＤＶＤプレーヤやビデオプレーヤからビデオ信号をビデオ入出力部１６に取り込み、これらのビデオ信号をスクリーン４に投射することができる。
【００３１】
図４は、デジタルカメラ２がプロジェクタ１の頭部に装着されたときプロジェクタ（ＰＪ）の色ゲイン調整（ＡＷＥ調整）を自動的に行う時の処理手順を示すフローチャートである。デジタルカメラ２がプロジェクタ（ＰＪ）の頭部所定位置に装着されコネクタ５，６間が連結されると（ステップＳ１）、デジタルカメラ２のバッテリ電源がオフとなり、プロジェクタ１からのＤＣ電源がデジタルカメラ２に供給され、デジタルカメラ２が起動する。
【００３２】
次に、ユーザがプロジェクタ１に設けられているＡＥ／ＡＷＥボタンを押下すると（ステップＳ２）、制御部１２は図示しないメモリから初期グレーチャートを読み出し、表示駆動部１５を制御してこの初期グレーチャートを表示部１７からスクリーン４に投影する（ステップＳ３）。
【００３３】
次のステップＳ４では、プロジェクタ１の制御部１２がデジタルカメラ２の制御部２３に対してＡＥ／ＡＷＥモードへの移行指令信号を出力し、この移行指令信号をコネクタ５，６を介して受信したデジタルカメラ２の制御部２３は、デジタルカメラ２を先ずＡＥモードに移行させる（ステップＳ５）。
【００３４】
ＡＥモードに移行したデジタルカメラ２は、スクリーン４に投影されている初期グレーチャートの映像を固体撮像素子２１から取り込み、固体撮像素子２１の中心付近の画素領域から出力される画像データを積算し（ステップＳ６）、その積算結果が適正値であるか否かを判定する（ステップＳ７）。積算結果が適正値で無い場合（ＮＯ）には、図５に示す処理を行って積算結果に基づく露出調整を行い、ステップＳ６に戻る。
【００３５】
図５は、露出調整を行う処理手順のフローチャートである。図４のステップＳ７で、積算結果が適正値で無いと判定された場合には、次のステップＳ７１で、積算結果が適正値より「小」であるか否かを判定する。この判定結果が肯定すなわち「積算結果＜適正値」の場合には、ステップＳ７２に進み、デジタルカメラ２からプロジェクタ１に対して表示を明るくするように制御信号をプロジェクタ１側の制御部１２にフィードバックし、ステップＳ７３で、プロジェクタ１の制御部１２は、表示１７の投影ランプの輝度を予め決められた輝度だけ高め、次に、ステップＳ６（図４）に戻る。
【００３６】
ステップＳ７１の判定結果が否定すなわち「積算結果≧適正値」の場合には、ステップＳ７４に進み、デジタルカメラ２からプロジェクタ１の制御部１２に対して表示を暗くするように制御信号をフィードバックし、ステップＳ７５で、プロジェクタ１の制御部１２は、表示１７の投影ランプの輝度を予め決められた輝度だけ低くし、次にステップＳ６（図４）に戻る。
【００３７】
図４のステップ７で積算結果が適正値であると判定された場合には、次にステップＳ８に進み、デジタルカメラ２は、ＡＷＥモードに移行する。次のステップＳ９でデジタルカメラ２の制御部２３は、スクリーン４上に投影されている初期グレーチャートの映像を撮像している固体撮像素子２１の出力データから画像中心付近のＲ，Ｇ，Ｂの各色の値を積算し、積算値のＲ／Ｂ，Ｂ／Ｇの値を求める。
【００３８】
次のステップＳ１０で、デジタルカメラ２の制御部２３は、積算値のＲ／ＧがＢ／Ｇに等しいか否かを判定する。等しい場合には、ホワイトバランスがとれているため、この一連の処理を終了する。Ｒ／ＧがＢ／Ｇに等しく無い場合には、図６の処理を行ってステップＳ９に戻る。
【００３９】
図６は、Ｒ，Ｇ，Ｂの色ゲイン調整を行う処理手順を示すフローチャートである。図４のステップＳ１０での判定結果が否定されたとき、即ちＲ／Ｇ＝Ｂ／Ｇで無い場合には、図６のステップＳ１０１に進み、デジタルカメラ２の制御部２３は、「Ｒ／Ｇ＜Ｂ／Ｇ」であるか否かを判定する。
【００４０】
この判定結果が肯定（ＹＥＳ）の場合にはステップＳ１０２に進み、デジタルカメラ２の制御部２３はプロジェクタ１の制御部１２に対して、表示部１７に表示している表示データの赤（Ｒ）味を強くする様に制御指令をフィードバック出力する。この制御信号を受けたプロジェクタ１の制御部１２は、ステップＳ１０３で表示データの赤色味を強くし、次に図４のステップ９に戻る。
【００４１】
ステップＳ１０での判定結果が否定（ＮＯ）の場合にはステップＳ１０４に進み、デジタルカメラ２の制御部２３はプロジェクタ１の制御部１２に対して、表示部１７に表示している表示データの青（Ｂ）味を強くする様に制御指令をフィードバック出力する。この制御信号を受けたプロジェクタ１の制御部１２は、ステップＳ１０５で表示データの青色味を強くし、次に図４のステップ９に戻る。以上により、プロジェクタ１のＡＥとＡＷＥが自動的に実行される。
【００４２】
尚、図４のステップＳ６やステップＳ７での積算や判定を、本実施形態では、デジタルカメラ２側の制御部２３が行ったが、積算用の画像データをそのまま制御部２３が制御部１２に送信し、これらの積算や判定を制御部１２が行う構成とすることも可能である。
【００４３】
同様に、図４のステップＳ９，ステップＳ１０の積算や判定、図５のステップＳ７１の判定、図６のステップＳ１０１の判定も、プロジェクタ１側の制御部１２が行う構成としてもよい。
【００４４】
続けて、オートフォーカス処理を行う場合には、プロジェクタ１のＡＦボタンを押下する。図７は、オートフォーカス処理の処理手順を示すフローチャートであり、カメラをプロジェクタ１に装着した（ステップＳ１）状態でプロジェクタ１のＡＦボタンを押下すると、次にステップＳ１２に進む。
【００４５】
このステップＳ１２で、プロジェクタ１の制御部１２は、図９に例示する縦ストライプチャートを図示しないメモリから読み出し、表示駆動部１５を制御して縦ストライプチャートをスクリーン４に投影する。そして、デジタルカメラ２の制御部２３に対して、ＡＦモードへの移行指令信号を出力する（ステップＳ１３）。
【００４６】
このＡＦモードへの移行指令信号を受信したデジタルカメラ２の制御部２３は、デジタルカメラ２をＡＦモードに移行させ、ＡＦ機能で得られた情報をプロジェクタ１の制御部１２に出力し、プロジェクタ１の制御部１２に、プロジェクタ１の投射レンズ３のフォーカスレンズ位置を調整させる。
【００４７】
図１０は、本実施形態におけるプロジェクタ１が行うＡＦ動作の概略説明図である。デジタルカメラ２の制御部２３は、スクリーン４上に投影されている縦ストライプチャートの映像を固体撮像素子２１から取り込み、撮像画像の暗部と明部とのコントラストを算出し、制御部１２は、コントラストが最大となった位置を合焦位置（ピント位置）と判定する。
【００４８】
このピント合わせを行うとき、制御部２３は、先ず大まかな合焦位置を求め、次に詳細な合焦位置を求める。大まかな合焦位置を求める場合、図１０に示す各位置Ｘ１（∞端），…，ＸＰ１―１，ＸＰ１，ＸＰ＋１，…，Ｘｎ，…Ｘα（ｎｅａｒ端）に投射レンズ３のフォーカスレンズ位置を駆動し（合焦位置に近い場合には、スクリーン４上に映る縦ストライプが鮮明となり、合焦位置から外れると、縦ストライブはぼやけることになる）、各位置における上記のコントラストの値を求め、コントラスト最大を示すＸ位置を合焦位置とする。
【００４９】
仮に、ＸＰ１が大まかな合焦位置として求められた場合は、次に、ＸＰ１―１からＸＰ１＋１までの範囲で投射レンズ３のフォーカスレンズ位置を細かく駆動制御し、再び各位置におけるコントラストの値を求め、コントラストの値が最大となる位置を、詳細な合焦位置とする。
【００５０】
斯かる方法で詳細な合焦位置を求めるため、図７のステップＳ１４では、先ず、大まかなピント位置を探すために、フォーカスレンズ位置を大まかなピント位置Ｘｎ（１≦ｎ≦α）に移動する。そして、デジタルカメラ２の制御部２３はデジタルカメラ２のＡＦ機能を実行させ（ステップＳ１５）、合焦したか否かを判定する（ステップＳ１６）。合焦しない場合にはステップＳ１４に戻り、合焦した場合には、ステップＳ１７に進む。ステップＳ１７で、デジタルカメラの制御部２３は、明部と暗部のコントラストの値を算出し、ピント位置Ｘｎと共にコントラストの値を自身のメモリに記憶する。
【００５１】
次のステップＳ１７では、プロジェクタ１のフォーカスレンズ位置がＸα位置まで行ったか否か（この例では、Ｘ１の無限端から順にｎｅａｒ端までフォーカスレンズ位置を駆動して各位置におけるコントラストの値を求めるものとしている。）を判定し、全ての大まかなピント位置での処理を全て終了したか否かを判定する。終了していない場合にはステップＳ１４に戻り、終了した場合には、今度は詳細なピント位置の探索に入るため、ステップＳ１９に進む。
【００５２】
ステップＳ１９では、各位置Ｘｎでのコントラストの値を比較して大まかなピント位置ＸＰ１を求める。そして、図８の処理ステップに入る。
【００５３】
図８のステップＳ２０では、デジタルカメラ２の制御部２３は、プロジェクタ１の制御部１２に対し、プロジェクタ１のフォーカスレンズ位置を、詳細なピント位置探索のための最初の位置（この例ではＸＰ１―１位置）に移動させる様に指示指令を出力する。
【００５４】
次にステップＳ２１では、詳細なピント位置を探すために、フォーカスレンズ位置を図１０に示す詳細なピント位置Ｙｍ（１≦ｍ≦β）に移動する。そして、デジタルカメラ２の制御部２３はデジタルカメラ２のＡＦ機能を実行させ（ステップＳ２２）、合焦したか否かを判定する（ステップＳ２３）。合焦しない場合にはステップＳ２１に戻り、合焦した場合には、ステップＳ２４に進む。ステップＳ２４で、デジタルカメラの制御部２３は、明部と暗部のコントラストの値を算出し、ピント位置Ｙｍと共にコントラストの値を自身のメモリに記憶する。
【００５５】
次のステップＳ２５では、プロジェクタ１のフォーカスレンズ位置が探索最終位置Ｙβ位置まで行ったか否かを判定し、探索範囲β内の全ての詳細ピント位置での処理を全て終了したか否かを判定する。終了していない場合にはステップＳ２１に戻り、終了した場合には、ステップＳ２６に進み、コントラストの値が最大となるピント位置ＸＰ２を求める。
【００５６】
最後に、デジタルカメラ２の制御部２３は、プロジェクタ１の制御部１２に対し、詳細なピント位置ＸＰ２を制御信号としてフィードバックし、プロジェクタ１のフォーカスレンズ位置をピント位置ＸＰ２に駆動させ、この一連の処理を終了し、デジタルカメラ２の電源をオフとする。尚、このとき、バッテリ電源１８が満充電状態でないときは、ＤＣ電源１１でバッテリ電源１８を充電してから電源オフとすることでもよい。
【００５７】
尚、本実施形態では、各ピント位置でのコントラストの値をデジタルカメラ側の制御部２３が求めたが、コントラストを求める画像データをそのまま制御部２３がプロジェクタ１側の制御部１２にフィードバックし、制御部１２がコントラストの値から合焦位置を判定する構成でもよい。
【００５８】
以上述べた様に、本実施形態では、デジタルカメラ２の制御部２３とプロジェクタ１の制御部１とが連携してプロジェクタのフォーカスレンズ位置を合焦位置に制御するため、ユーザは単にプロジェクタの所定ボタンを押下して調整指令を入力するだけで、面倒な合焦位置の探索や色ゲインの調整を行う必要がなくなる。
【００５９】
しかし、勿論、ユーザがマニュアル操作によってグレーチャートやストライプチャートをスクリーンに投影させ、マニュアル操作によって光量調整やホワイトバランス調整、ピント調整を行うことは可能である。
【００６０】
尚、上述した実施形態では、ＡＷＥ調整を自動的に行う指令ボタンとＡＦ調整を行う指令ボタンとを別々にしたが、ＡＷＥ調整とＡＦ調整とが自動的に連続して行える構成にすることでも良く、また、指令ボタンの押下を省略し、デジタルカメラ２をプロジェクタ１に装着したとき、上記のＡＷＥ調整とＡＦ調整とが自動的に連続して実行される構成としても良い。
【００６１】
また、上述した実施形態では、探索範囲の全範囲でフォーカスレンズ位置を移動させ、大まかなピント位置の探索や詳細なピント位置の探索を行ったが、いわゆる山登り方式を採用し、コントラスト最大位置が求められたときはそれ以後の処理を省略することでもよい。
【００６２】
更にまた、上述した実施形態では、ＡＥ調整を、グレーチャートの明るさの絶対量で評価したが、周囲の明るさとの差が一定となるように調整する方法を採用してもよい。
【００６３】
更にまた、上述した実施形態では、コネクタ５とコネクタ６とを嵌合させることで、プロジェクタ１とデジタルカメラ２とを機械的且つ電気的せ連結したが、図１１に示す様に、電気的接続を、ケーブル７で行う構成でも良いことはいうまでもない。
【００６４】
【発明の効果】
本発明によれば、デジタルカメラからフィードバックされる制御信号を用いてプロジェクタのピント調整や色ゲイン調整を行う構成としたため、プロジェクタの構成を低コストに保ったまま、フォーカス調整や色ゲイン調整を高精度に行うことが可能となる。
【図面の簡単な説明】
【図１】本発明の一実施形態に係るプロジェクタにデジタルカメラを搭載した状態の概略側面図である。
【図２】図１に示すプロジェクタとデジタルカメラとの連結部の詳細図である。
【図３】図１に示すプロジェクタとデジタルカメラの内部構成図である。
【図４】図１に示すプロジェクタとデジタルカメラとが行うオートホワイトバランス（ＡＷＥ）調整の処理手順を示すフローチャートである。
【図５】図１に示すプロジェクタとデジタルカメラとが行うオートホワイトバランス（ＡＷＥ）調整の処理手順の一部詳細を示すフローチャートである。
【図６】図１に示すプロジェクタとデジタルカメラとが行うオートホワイトバランス（ＡＷＥ）調整の処理手順の一部詳細を示すフローチャートである。
【図７】図１に示すプロジェクタとデジタルカメラとが行うオートフォーカス（ＡＦ）調整の処理手順を示すフローチャートである。
【図８】図１に示すプロジェクタとデジタルカメラとが行うオートフォーカス（ＡＦ）調整の処理手順を示すフローチャートであり、図７に連続するフローチャートである。
【図９】オートフォーカス調整を行うときにプロジェクタからスクリーンに投影する縦ストライプチャートの一例を示す図である。
【図１０】オートフォーカス調整の概略説明図である。
【図１１】プロジェクタとデジタルカメラとの連結例の別実施形態を示す概略側面図である。
【符号の説明】
１  プロジェクタ
２  デジタルカメラ
３  投射レンズ
４  スクリーン
５，６  コネクタ
１２  プロジェクタ側の制御部
１７  表示部
２１  固体撮像素子
２３  デジタルカメラ側の制御部
【図１】
2004347871.tif 000003
【図２】
2004347871.tif 000004
【図３】
2004347871.tif 000005
【図４】
2004347871.tif 000006
【図５】
2004347871.tif 000007
【図６】
2004347871.tif 000008
【図７】
2004347871.tif 000009
【図８】
2004347871.tif 000010
【図９】
2004347871.tif 000011
【図１０】
2004347871.tif 000012
【図１１】
2004347871.tif 000013